(57)【要約】      （修正有）【課題】画面に対する個々のユーザの位置に応じて、その画面に個々のユーザに対応する複数の子画面を表示させる画面分割表示システムを提供する。【解決手段】表示方法決定部１５により、端末個体情報抽出部１３によって抽出された端末個体情報と位置情報抽出部１４によって抽出された位置情報に基づき、画面１１Ａに対する個々の入力端末（Ａ）２０及び入力端末（Ｂ）３０の位置、すなわち個々のユーザの位置に対応するように、画面１１Ａ上におけるそれぞれの子画面である対応表示画面１１ａ、１１ｂの表示位置を決定するようにした。【選択図】図１
2013179553.tif 000002
【特許請求の範囲】
【請求項１】
少なくとも、ユーザの位置を示す位置情報が抽出されるための位置情報抽出信号と、端末個体情報を含む情報信号とを送信可能な複数の入力端末と、
複数の前記入力端末からの前記位置情報抽出信号と前記情報信号に基づき、画面を分割して子画面を表示させる表示装置とを備え、
前記表示装置は、
前記位置情報抽出信号と前記情報信号を受信する信号受信部と、
該信号受信部によって受信された前記情報信号から前記端末個体情報を抽出する端末個体情報抽出部と、
前記信号受信部によって受信された前記位置情報抽出信号に基づき、前記画面に対する個々の前記入力端末の位置を所定の演算処理により抽出する位置情報抽出部と、
前記端末個体情報抽出部によって抽出された前記端末個体情報と前記位置情報抽出部によって抽出された前記位置情報に基づき、個々の前記入力端末の位置に対応するように、前記画面上におけるそれぞれの前記子画面の表示位置を決定する表示方法決定部とを備える
ことを特徴とする画面分割表示システム。
【請求項２】
少なくとも、ユーザの位置を示す位置情報が抽出されるための位置情報抽出信号と、端末個体情報を含む情報信号とを送信可能な複数の入力端末と、
複数の前記入力端末からの前記位置情報抽出信号と前記情報信号に基づき、画面を分割して子画面を表示させる複数の表示装置とを備え、
複数の前記表示装置は、
前記位置情報抽出信号と前記情報信号を受信する信号受信部と、
該信号受信部によって受信された前記情報信号から前記端末個体情報を抽出する端末個体情報抽出部と、
前記信号受信部によって受信された前記位置情報抽出信号に基づき、前記画面に対する個々の前記入力端末の位置を所定の演算処理により抽出する位置情報抽出部と、
互いの位置を示す装置位置情報が抽出されるための装置位置情報抽出信号を出力し、互いの位置を所定の演算処理により抽出する装置位置情報抽出部と、
前記端末個体情報抽出部によって抽出された前記端末個体情報及び前記位置情報抽出部によって抽出された前記位置情報と、前記装置位置情報抽出部によって抽出された前記装置位置情報とに基づき、個々の前記入力端末と個々の前記表示装置との対応関係を決定する表示方法決定部とを備え、
前記表示方法決定部は、決定した前記表示装置に対し個々の前記入力端末の位置に対応するように、当該画面上におけるそれぞれの前記子画面の表示の有無及び表示位置を決定する
ことを特徴とする画面分割表示システム。
【請求項３】
前記表示方法決定部は、個々の前記入力端末の位置に応じて、それぞれの前記子画面の表示サイズを決定することを特徴とする請求項１又は２に記載の画面分割表示システム。
【請求項４】
前記表示方法決定部は、個々の前記入力端末の位置に応じて、それぞれの前記子画面の表示形状を決定することを特徴とする請求項１〜３のいずれかに記載の画面分割表示システム。
【請求項５】
前記表示装置は、テレビジョン装置であり、
前記情報信号は、リモコンコード信号である
ことを特徴とする請求項１〜４のいずれかに記載の画面分割表示システム。
【請求項６】
複数の入力端末により、少なくとも、ユーザの位置を示す位置情報が抽出されるための位置情報抽出信号と、端末個体情報を含む情報信号とが送信される工程と、
表示装置により、複数の前記入力端末からの前記位置情報抽出信号と前記情報信号に基づき、画面を分割した子画面が表示される工程とを有し、
前記表示装置は、
端末個体情報抽出部により、信号受信部によって受信された前記情報信号から前記端末個体情報を抽出し、
位置情報抽出部により、前記信号受信部によって受信された前記位置情報抽出信号に基づき、前記画面に対する個々の前記入力端末の位置を所定の演算処理によって抽出し、
表示方法決定部により、前記端末個体情報抽出部によって抽出された前記端末個体情報と前記位置情報抽出部によって抽出された前記位置情報に基づき、個々の前記入力端末の位置に対応するように、前記画面上におけるそれぞれの前記子画面の表示位置を決定する
ことを特徴とする画面分割表示方法。
【請求項７】
複数の入力端末により、少なくとも、ユーザの位置を示す位置情報が抽出されるための位置情報抽出信号と、端末個体情報を含む情報信号とが送信される工程と、
表示装置により、複数の前記入力端末からの前記位置情報抽出信号と前記情報信号に基づき、画面を分割した子画面が表示される工程とを有し、
複数の前記表示装置は、
端末個体情報抽出部により、信号受信部によって受信された前記情報信号から前記端末個体情報を抽出し、
位置情報抽出部により、前記信号受信部によって受信された前記位置情報抽出信号に基づき、前記画面に対する個々の前記入力端末の位置を所定の演算処理により抽出し、
装置位置情報抽出部により、互いの位置を示す装置位置情報が抽出されるための装置位置情報抽出信号を出力し、互いの位置を所定の演算処理により抽出し、
表示方法決定部により、前記端末個体情報抽出部によって抽出された前記端末個体情報及び前記位置情報抽出部によって抽出された前記位置情報と、前記装置位置情報抽出部によって抽出された前記装置位置情報とに基づき、個々の前記入力端末と個々の前記表示装置との対応関係を決定し、該決定した前記表示装置に対し個々の前記入力端末の位置に対応するように、当該画面上におけるそれぞれの前記子画面の表示の有無及び表示位置を決定する
ことを特徴とする画面分割表示方法。
【請求項８】
前記表示方法決定部により、個々の前記入力端末の位置に応じて、それぞれの前記子画面の表示サイズを決定することを特徴とする請求項６又は７に記載の画面分割表示方法。
【請求項９】
前記表示方法決定部は、前記画面に対する個々の前記入力端末の位置に応じて、それぞれの前記子画面の表示形状を決定することを特徴とする請求項６〜８のいずれかに記載の画面分割表示方法。
【請求項１０】
前記表示装置は、テレビジョン装置であり、
前記情報信号は、リモコンコード信号である
ことを特徴とする請求項６〜９のいずれかに記載の画面分割表示方法。
【発明の詳細な説明】
【技術分野】
【０００１】
本発明は、テレビジョン装置等の表示装置の画面をいくつかの領域に分割して表示する子画面の表示に適した画面分割表示システム及び画面分割表示方法に関する。
【背景技術】
【０００２】
近年の表示装置の一つであるテレビジョン装置においては、たとえば高画質化に伴い、大型画面を有する大型テレビジョン装置が広く普及している。このような大型テレビジョン装置では、複数のユーザが個々に異なる番組を試聴することができるように、大型画面の任意の表示領域を分割して複数の子画面を表示させる表示機能を搭載しているものがある。
【０００３】
このような子画面の表示機能に関するものとして、特許文献１では、インターネットやテレビ番組の動画像及びテキストを画面に表示する際、テキストの大きさや、表示領域の大きさを、ユーザの好みに応じて簡単な操作で変更できるようにした情報表示端末を提案している。すなわち、特許文献１では、ユーザが表示画面についての表示位置や大きさを設定することにより、その設定した表示位置にその設定した大きさの画面を表示させることができるようになっている。
【０００４】
また、特許文献２では、大画面表示装置の表示領域を複数の単位サイズ領域に区分して複数の表示領域に分割するとともに、表示レイアウトを変更できるようにした大画面表示装置の協調作業システムを提案している。すなわち、特許文献２では、大画面表示装置を複数端末から操作することで、複数のユーザが同時に作業を行うことができようにすることで、各々の作業内容が共通画面に反映されるようになっている。
【先行技術文献】
【特許文献】
【０００５】
【特許文献１】特開２００９−００３７４５号公報
【特許文献２】特開２００６−１８９５７４号公報
【発明の概要】
【発明が解決しようとする課題】
【０００６】
ところで、上述した特許文献１では、ユーザが表示画面についての表示位置や大きさを設定することにより、その設定した表示位置にその設定した大きさの画面を表示させることができるようになっているものの、その設定した表示位置に表示される画面は１人のユーザが設定したものに限定されている。そのため、複数のユーザが個々に表示画面についての表示位置や大きさを同時に設定して表示させるということができないという問題があった。
【０００７】
これに対し、上述した特許文献２では、大画面表示装置を複数端末から操作することで、複数のユーザが同時に作業を行うことができるようになっているものの、複数のユーザによる作業は共通の１画面で行われている。そのため、画面に対する個々のユーザの位置に応じて、その画面に個々のユーザに対応する複数の子画面を表示させるということができないという問題があった。
【０００８】
また、特許文献２では、複数のユーザによる画面の表示設定に関わるものであるものの、特許文献１、２はいずれも１台の表示装置での画面の表示設定に関わるものであり、複数のユーザによる複数台の表示装置での画面の表示設定を行うことができないという問題があった。
【０００９】
本発明は、このような状況に鑑みてなされたものであり、少なくとも、画面に対する個々のユーザの位置に応じて、その画面に個々のユーザに対応する複数の子画面を表示させることができる画面分割表示システム及び画面分割表示方法を提供することを目的とする。
【課題を解決するための手段】
【００１０】
本発明の画面分割表示システムは、少なくとも、ユーザの位置を示す位置情報が抽出されるための位置情報抽出信号と、端末個体情報を含む情報信号とを送信可能な複数の入力端末と、複数の前記入力端末からの前記位置情報抽出信号と前記情報信号に基づき、画面を分割して子画面を表示させる表示装置とを備え、前記表示装置は、前記位置情報抽出信号と前記情報信号を受信する信号受信部と、該信号受信部によって受信された前記情報信号から前記端末個体情報を抽出する端末個体情報抽出部と、前記信号受信部によって受信された前記位置情報抽出信号に基づき、前記画面に対する個々の前記入力端末の位置を所定の演算処理により抽出する位置情報抽出部と、前記端末個体情報抽出部によって抽出された前記端末個体情報と前記位置情報抽出部によって抽出された前記位置情報に基づき、個々の前記入力端末の位置に対応するように、前記画面上におけるそれぞれの前記子画面の表示位置を決定する表示方法決定部とを備えることを特徴とする。
また、本発明の画面分割表示システムは、少なくとも、ユーザの位置を示す位置情報が抽出されるための位置情報抽出信号と、端末個体情報を含む情報信号とを送信可能な複数の入力端末と、複数の前記入力端末からの前記位置情報抽出信号と前記情報信号に基づき、画面を分割して子画面を表示させる複数の表示装置とを備え、複数の前記表示装置は、前記位置情報抽出信号と前記情報信号を受信する信号受信部と、該信号受信部によって受信された前記情報信号から前記端末個体情報を抽出する端末個体情報抽出部と、前記信号受信部によって受信された前記位置情報抽出信号に基づき、前記画面に対する個々の前記入力端末の位置を所定の演算処理により抽出する位置情報抽出部と、互いの位置を示す装置位置情報が抽出されるための装置位置情報抽出信号を出力し、互いの位置を所定の演算処理により抽出する装置位置情報抽出部と、前記端末個体情報抽出部によって抽出された前記端末個体情報及び前記位置情報抽出部によって抽出された前記位置情報と、前記装置位置情報抽出部によって抽出された前記装置位置情報とに基づき、個々の前記入力端末と個々の前記表示装置との対応関係を決定する表示方法決定部とを備え、前記表示方法決定部は、決定した前記表示装置に対し個々の前記入力端末の位置に対応するように、当該画面上におけるそれぞれの前記子画面の表示の有無及び表示位置を決定することを特徴とする。
また、前記表示方法決定部は、個々の前記入力端末の位置に応じて、それぞれの前記子画面の表示サイズを決定することを特徴とする。
また、前記表示方法決定部は、個々の前記入力端末の位置に応じて、それぞれの前記子画面の表示形状を決定することを特徴とする。
また、前記表示装置は、テレビジョン装置であり、前記情報信号は、リモコンコード信号であることを特徴とする。
本発明の画面分割表示方法は、複数の入力端末により、少なくとも、ユーザの位置を示す位置情報が抽出されるための位置情報抽出信号と、端末個体情報を含む情報信号とが送信される工程と、表示装置により、複数の前記入力端末からの前記位置情報抽出信号と前記情報信号に基づき、画面を分割した子画面が表示される工程とを有し、前記表示装置は、端末個体情報抽出部により、信号受信部によって受信された前記情報信号から前記端末個体情報を抽出し、位置情報抽出部により、前記信号受信部によって受信された前記位置情報抽出信号に基づき、前記画面に対する個々の前記入力端末の位置を所定の演算処理によって抽出し、表示方法決定部により、前記端末個体情報抽出部によって抽出された前記端末個体情報と前記位置情報抽出部によって抽出された前記位置情報に基づき、個々の前記入力端末の位置に対応するように、前記画面上におけるそれぞれの前記子画面の表示位置を決定することを特徴とする。
また、本発明の画面分割表示方法は、複数の入力端末により、少なくとも、ユーザの位置を示す位置情報が抽出されるための位置情報抽出信号と、端末個体情報を含む情報信号とが送信される工程と、表示装置により、複数の前記入力端末からの前記位置情報抽出信号と前記情報信号に基づき、画面を分割した子画面が表示される工程とを有し、複数の前記表示装置は、端末個体情報抽出部により、信号受信部によって受信された前記情報信号から前記端末個体情報を抽出し、位置情報抽出部により、前記信号受信部によって受信された前記位置情報抽出信号に基づき、前記画面に対する個々の前記入力端末の位置を所定の演算処理により抽出し、装置位置情報抽出部により、互いの位置を示す装置位置情報が抽出されるための装置位置情報抽出信号を出力し、互いの位置を所定の演算処理により抽出し、表示方法決定部により、前記端末個体情報抽出部によって抽出された前記端末個体情報及び前記位置情報抽出部によって抽出された前記位置情報と、前記装置位置情報抽出部によって抽出された前記装置位置情報とに基づき、個々の前記入力端末と個々の前記表示装置との対応関係を決定し、該決定した前記表示装置に対し個々の前記入力端末の位置に対応するように、当該画面上におけるそれぞれの前記子画面の表示の有無及び表示位置を決定することを特徴とする。
また、前記表示方法決定部により、個々の前記入力端末の位置に応じて、それぞれの前記子画面の表示サイズを決定することを特徴とする。
また、前記表示方法決定部は、前記画面に対する個々の前記入力端末の位置に応じて、それぞれの前記子画面の表示形状を決定することを特徴とする。
また、前記表示装置は、テレビジョン装置であり、前記情報信号は、リモコンコード信号であることを特徴とする。
本発明の画面分割表示システム及び画面分割表示方法では、たとえば、複数の入力端末により、少なくとも、ユーザの位置を示す位置情報が抽出されるための位置情報抽出信号と、端末個体情報を含む情報信号とが送信されると、端末個体情報抽出部により、信号受信部によって受信された情報信号から端末個体情報が抽出され、位置情報抽出部により、信号受信部によって受信された位置情報抽出信号に基づき、画面に対する個々の入力端末の位置が所定の演算処理によって抽出され、表示方法決定部により、端末個体情報抽出部によって抽出された端末個体情報と位置情報抽出部によって抽出された位置情報に基づき、画面に対する個々の入力端末の位置に対応するように、当該画面上におけるそれぞれの子画面の表示位置が決定される。
【発明の効果】
【００１１】
本発明の画面分割表示システム及び画面分割表示方法によれば、たとえば表示方法決定部により、端末個体情報抽出部によって抽出された端末個体情報と位置情報抽出部によって抽出された位置情報に基づき、画面に対する個々の入力端末の位置に対応するように、当該画面上におけるそれぞれの子画面の表示位置が決定されるようにしたので、少なくとも、画面に対する個々のユーザの位置に応じて、その画面に個々のユーザに対応する複数の子画面を表示させることができる。
【図面の簡単な説明】
【００１２】
【図１】本発明の画面分割表示システムの第１実施形態を説明するための図である。
【図２】図１の画面分割表示システムのディスプレイ装置に対する入力端末の位置情報を抽出する方法の一例を説明するための図である。
【図３】図１の画面分割表示システムにおける画面分割表示方法を説明するためのフローチャートである。
【図４】図２のディスプレイ装置に対する入力端末の位置情報を抽出する他の方法を説明するための図である。
【図５】図２のディスプレイ装置に対する入力端末の位置情報を抽出する他の方法を説明するための図である。
【図６】図２のディスプレイ装置に対する入力端末の位置情報を抽出する他の方法を説明するための図である。
【図７】本発明の画面分割表示システムの第２実施形態を説明するための図である。
【図８】図７の画面分割表示システムにおける画面分割表示方法を説明するためのフローチャートである。
【図９】本発明の画面分割表示システムの第３実施形態を説明するための図である。
【図１０】図９の画面分割表示システムにおける画面分割表示方法を説明するためのフローチャートである。
【図１１】本発明の画面分割表示システムの第４実施形態を説明するための図である。
【図１２】図１１の画面分割表示システムにおける画面分割表示方法を説明するためのフローチャートである。
【図１３】図１１の画面分割表示システムにおける画面分割表示方法を説明するための図である。
【図１４】図１１の画面分割表示システムにおける画面分割表示方法を説明するための図である。
【図１５】図１１の画面分割表示システムにおける画面分割表示方法を説明するための図である。
【発明を実施するための形態】
【００１３】
以下、本発明の実施形態の詳細を、図１〜図６を参照して説明する。
（第１実施形態）
【００１４】
図１に示す画面分割表示システムは、テレビジョン装置１０、入力端末（Ａ）２０、入力端末（Ｂ）３０を備えている。なお、入力端末（Ａ）２０及び入力端末（Ｂ）３０からは、画面に対する入力端末（Ａ）２０及び入力端末（Ｂ）３０の位置情報、すなわち個々のユーザの位置を示す位置情報が抽出されるための後述の位置情報抽出信号や、後述の端末個体情報を含む映像の制御に係わるリモコンコード信号等が送信されるようになっている。
【００１５】
また、これらの信号は、後述の信号受信部１２が受信できる範囲内での所定周波数であり、デジタル信号又はアナログ信号のいずれであってもよいが、以下の説明ではデジタル信号であるものとして説明する。また、これらの信号は、電波又は光（赤外線等）のいずれであってもよい。
【００１６】
テレビジョン装置１０は、ディスプレイ装置１１、信号受信部１２、端末個体情報抽出部１３、位置情報抽出部１４及び表示方法決定部１５を有している。なお、信号受信部１２は、たとえばディスプレイ装置１１の下部側等に配置されている。端末個体情報抽出部１３、位置情報抽出部１４及び表示方法決定部１５は、テレビジョン装置１０の内部に配置されている。
【００１７】
ディスプレイ装置１１には、画面１１Ａに分割表示による複数の子画面が表示されるようになっている。すなわち、同図では、子画面としてたとえば入力端末（Ａ）２０の対応表示画面１１ａと入力端末（Ｂ）３０の対応表示画面１１ｂとが表示される場合を示している。なお、ここでは、２つの子画面が表示される場合で示しているが、入力端末を増やすことで、３つ以上の子画面が表示されるようにしてもよいことは勿論である。
【００１８】
信号受信部１２は、入力端末（Ａ）２０及び入力端末（Ｂ）３０からの所定周波数の信号である上述した位置情報抽出信号やリモコンコード信号等を受信する。なお、信号受信部１２は、位置情報抽出部１４による位置情報の抽出方法に応じて１つ以上としてもよい。
【００１９】
端末個体情報抽出部１３は、入力端末（Ａ）２０及び入力端末（Ｂ）３０からのたとえば映像の制御に係わるリモコンコード信号に含まれる端末個体情報を、データ処理により抽出し、この抽出した端末個体情報を表示方法決定部１５に出力する。
【００２０】
この端末個体情報は、信号受信部１２によりたとえばリモコンコード信号が受信されたとき、そのリモコンコード信号が入力端末（Ａ）２０及び入力端末（Ｂ）３０のいずれかからのものであるかを識別するためのものである。
【００２１】
この端末個体情報を識別することで、画面１１Ａ上における、入力端末（Ａ）２０の対応表示画面１１ａ又は入力端末（Ｂ）３０の対応表示画面１１ｂの表示処理、すなわち割り当てが済んでいるか否かが識別される。
【００２２】
なお、端末個体情報は、入力端末（Ａ）２０と入力端末（Ｂ）３０とを識別できるものであればよく、それぞれの入力端末（Ａ）２０及び入力端末（Ｂ）３０の製造番号のように唯一のものであればよい。また、それぞれの入力端末（Ａ）２０及び入力端末（Ｂ）３０側で任意に設定された所定桁数の数字、アルファベット等であってもよい。
【００２３】
位置情報抽出部１４は、入力端末（Ａ）２０又は入力端末（Ｂ）３０からの後述する位置情報抽出信号に基づき、画面１１Ａに対する個々のユーザの位置を示す位置情報を演算処理により抽出し、この抽出した位置情報を表示方法決定部１５に出力する。なお、位置情報の抽出の詳細については後述する。
【００２４】
表示方法決定部１５は、位置情報抽出部１４によって抽出された位置情報に基づき、画面１１Ａに対する個々のユーザの位置に対応するように、画面１１Ａ上における、上述した入力端末（Ａ）２０の対応表示画面１１ａ又は入力端末（Ｂ）３０の対応表示画面１１ｂの表示位置を決定する。
【００２５】
なお、表示方法決定部１５による表示位置の決定は、たとえば画面１１Ａに対する入力端末（Ａ）２０又は入力端末（Ｂ）３０の位置に応じた画面１１Ａの表示位置を示すデータを有するテーブルを用意しておき、そのテーブルのデータを参照することで行うことができる。
【００２６】
また、表示方法決定部１５は、映像の制御に係わるリモコンコード信号が信号受信部１２によって受信されたとき、端末個体情報抽出部１３によって抽出された端末個体情報とそのリモコンコード信号に基づき、該当する入力端末（Ａ）２０の対応表示画面１１ａ又は入力端末（Ｂ）３０の対応表示画面１１ｂの表示内容を制御する。
【００２７】
入力端末（Ａ）２０及び入力端末（Ｂ）３０は、画面１１Ａに表示される映像に係わるリモコンコード信号（端末個体情報を含む）や上述した個々のユーザの位置を示す位置情報が抽出されるための位置情報抽出信号等を送信する。
【００２８】
なお、個々のユーザの位置を示す位置情報が抽出されるための位置情報抽出信号は、たとえば入力端末（Ａ）２０及び入力端末（Ｂ）３０に搭載されている所定のボタンが押下されたときに送信されるようになっている。また、その個々のユーザの位置を示す位置情報が抽出されるための位置情報抽出信号は、たとえば可聴帯域外の周波数の音声信号となっている。これは、たとえば、上述したリモコンコード信号と区別することで、映像の制御に係わる影響を無くしたりするためである。
【００２９】
次に、図２を参照し、上述した位置情報抽出部１４による入力端末（Ａ）２０及び入力端末（Ｂ）３０の位置情報の抽出方法の一例について説明する。なお、入力端末（Ａ）２０及び入力端末（Ｂ）３０の位置情報の抽出は、入力端末（Ａ）２０及び入力端末（Ｂ）３０のいずれに対しても同様であるため、以下においては入力端末（Ａ）２０の位置情報を抽出する場合として説明する。
【００３０】
また、図２では、上記の信号受信部１２を、３つの信号受信部１２ａ〜１２ｃとした場合を示している。また、入力端末（Ａ）２０からのユーザの位置を示す位置情報が抽出されるための位置情報抽出信号は、上述したように、入力端末（Ａ）２０に搭載されている所定のボタンが押下されたときに送信される、可聴帯域外の周波数の音声信号である。
【００３１】
まず、位置情報抽出部１４による演算処理としては、下記の（１）〜（３）の連立方程式を解くことにより、画面１１Ａに対する入力端末（Ａ）２０の位置情報、すなわちユーザの位置を示す位置情報が抽出される。
Ｘ＊＊２＋Ｙ＊＊２＝Ｚ＊＊２・・・（１）
（α１−Ｘ）＊＊２＋Ｙ＊＊２＝（Ｚ＋β１）＊＊２・・・（２）
（α１＋α２−Ｘ）＊＊２＋Ｙ＊＊２＝（Ｚ＋β２）＊＊２・・・（３）
なお、＊＊２は２乗を表している。
【００３２】
ここで、上記のＸ、Ｙ、Ｚは図２に示したように下記の通りであるが、これらは演算処理の開始時では未知数となっている。
Ｘ＝信号受信部１２ａからの入力端末（Ａ）２０の横方向の距離のズレ
Ｙ＝信号受信部１２ａからの入力端末（Ａ）２０の離れた距離
Ｚ＝信号受信部１２ａまでの入力端末（Ａ）２０の直線距離
【００３３】
また、上記のα１、α２、β１、β２は下記の通りであるが、これらは演算処理の開始時では既知数となっている。
α１＝信号受信部１２ａと信号受信部１２ｂとの間の距離
α２＝信号受信部１２ｂと信号受信部１２ｃとの間の距離
β１＝信号受信部１２ａと信号受信部１２ｂとの受信の時間差による距離の差
β２＝信号受信部１２ｂと信号受信部１２ｃとの受信の時間差による距離の差
【００３４】
そして、α１、α２、β１、β２を上記の式（１）〜（３）に代入して連立方程式を解くと、上記のＸ、Ｙ、Ｚの値が求められる。ここで、たとえばＺ、Ｚ＋β１、Ｚ＋β２が分かることで、入力端末（Ａ）２０が信号受信部１２ａ〜１２ｃのいずれに最も近いかが識別される。よって、同図の例のように、入力端末（Ａ）２０が信号受信部１２ａに最も近いと識別された場合、信号受信部１２ａからの入力端末（Ａ）２０の横方向の距離のズレであるＸと、信号受信部１２ａからの入力端末（Ａ）２０の離れた距離であるＹとが識別されることで、画面１１Ａに対する入力端末（Ａ）２０の位置、すなわちユーザの位置を示す位置情報が抽出されることになる。
【００３５】
なお、ここでの演算処理は、画面１１Ａに対する入力端末（Ａ）２０の横方向での位置情報を抽出する場合として説明したが、画面１１Ａに対する入力端末（Ａ）２０の縦方向での位置情報を抽出することも含める場合は、信号受信部１２ａ〜１２ｃのいずれか又は全てを画面１１Ａの縦方向に配置し、上述した連立方程式に準じての演算処理を行えばよいことになる。
【００３６】
次に、図１の画面分割表示システムにおける画面分割表示方法について、図３を参照しながら説明する。
【００３７】
まず、たとえば入力端末（Ａ）２０からのユーザの位置を示す位置情報が抽出されるための上述した位置情報抽出信号と端末個体情報を含むリモコンコード信号とが信号受信部１２に入力されたとする（ステップＳ１０）。このとき、端末個体情報抽出部１３により信号受信部１２によって受信された信号から端末個体情報が抽出され、また、位置情報抽出部１４により上述した位置情報の抽出の演算処理によって入力端末（Ａ）２０の位置、すなわちユーザの位置を示す位置情報が抽出される（ステップＳ１１）。
【００３８】
次いで、表示方法決定部１５により、端末個体情報抽出部１３により抽出された端末個体情報に基づいて、画面１１Ａ上における、入力端末（Ａ）２０の対応表示画面１１ａの表示処理、すなわち割り当てが済んでいるか否かが判断される（ステップＳ１２）。
【００３９】
ここで、入力端末（Ａ）２０の対応表示画面１１ａの表示処理、すなわち割り当てが済んでいると判断されると（ステップＳ１２：ＹＥＳ）、該当画面についての処理が実施される（ステップＳ１３）。ここでの該当画面についての処理とは、たとえば入力端末（Ａ）２０からの映像の制御に係わるリモコンコード信号の内容に応じて該当画面である入力端末（Ａ）２０の対応表示画面１１ａの内容を制御することである。また、映像の制御に係わるリモコンコード信号の内容とは、画質調整、音量調整、チャンネル切替等が含まれる。
【００４０】
これに対し、入力端末（Ａ）２０の対応表示画面１１ａの表示処理、すなわち割り当てが済んでいないと判断されると（ステップＳ１２：ＮＯ）、位置情報抽出部１４により抽出された位置情報に基づき、画面１１Ａ上における入力端末（Ａ）２０の対応表示画面１１ａの表示位置が決定される（ステップＳ１４）。
【００４１】
次いで、画面１１Ａに対するユーザの位置に対応するように、子画面である入力端末（Ａ）２０の対応表示画面１１ａが表示される（ステップＳ１５）。
【００４２】
このように、第１実施形態では、表示方法決定部１５により、端末個体情報抽出部１３によって抽出された端末個体情報と位置情報抽出部１４によって抽出された位置情報に基づき、画面１１Ａに対する個々の入力端末（Ａ）２０及び入力端末（Ｂ）３０の位置、すなわち個々のユーザの位置に対応するように、画面１１Ａ上におけるそれぞれの子画面である対応表示画面１１ａ、１１ｂの表示位置を決定するようにした。
【００４３】
これにより、画面１１Ａに対する個々のユーザの位置に応じて、その画面１１Ａに個々のユーザに対応する複数の子画面を表示させることができる。
【００４４】
また、視聴前に画面１１Ａに対する表示位置の設定が不要になり、直ちに視聴することが可能となる。
【００４５】
また、画面１１Ａに対する表示位置が自動で判断されるため、他のユーザの視聴を妨げることなく視聴を開始することができる。
【００４６】
なお、上述した位置情報抽出部１４による位置情報の抽出にあっては、上記の抽出方法に限らず、下記のような他の抽出方法を採用することができる。
【００４７】
すなわち、図４に示す例では、ディスプレイ装置１１の下部側に、入力端末（Ａ）２０及び入力端末（Ｂ）３０からの上述した画面１１Ａに対する位置情報、すなわち個々のユーザの位置を示す位置情報が抽出されるための位置情報抽出信号や、端末個体情報を含む映像の制御に係わるリモコンコード信号等を受信するための１個の信号受信部１２が設けられている。
【００４８】
また、ディスプレイ装置１１の上部側に、入力端末（Ａ）２０及び入力端末（Ｂ）３０を撮影するためのカメラ１６が設けられている。このカメラ１６は、たとえば入力端末（Ａ）２０に搭載されている所定のボタンが押下され、その入力端末（Ａ）２０の位置情報が抽出されるための位置情報抽出信号が上述した信号受信部１２によって受信されたときに動作するようになっている。
【００４９】
そして、カメラ１６によって撮影された映像を元に、上述した位置情報抽出部１４が画像処理を行うことで、たとえば入力端末（Ａ）２０の位置情報が抽出される。このような画像処理による位置情報の抽出に際しては、既存の画像処理技術を用いることができる。なお、この場合、たとえば入力端末（Ａ）２０の画面に識別コードを表示させ、その識別コードをカメラ１６に向けてカメラ１６により撮影させることで、たとえば入力端末（Ａ）２０の位置情報が抽出されるようにすることもできる。
【００５０】
また、図５に示すように、ディスプレイ装置１１の上部にたとえば３個の赤外線ＬＥＤ１７ａ〜１７ｃを有する発光体１７を搭載し、たとえば入力端末（Ａ）２０側で赤外線ＬＥＤ１７ａ〜１７ｃのパターンの配置間隔より画面１１Ａに対する位置を求め、その求めた位置情報を上述した位置情報抽出信号として信号受信部１２に送信するようにしてもよい。この場合、入力端末（Ａ）２０側には、パターン情報を認識するための認識手段を搭載しておけばよい。
【００５１】
また、図６に示すように、テレビジョン装置１０内部にジャイロ１８を搭載し、たとえば入力端末（Ａ）２０内部にもジャイロ２１を搭載して入力端末（Ａ）２０の位置情報が抽出されるようにすることもできる。
【００５２】
この場合、入力端末（Ａ）２０側で画面１１Ａに対する角度情報を求め、その求めた角度情報を上述した位置情報抽出信号として信号受信部１２に送信する。一方、テレビジョン装置１０側でもジャイロ１８により角度情報を求めることで、この求めた角度情報と入力端末（Ａ）２０からの位置情報抽出信号である角度情報とから、信号受信部１２に対する入力端末（Ａ）２０の角度を識別することが可能となる。
【００５３】
（第２実施形態）
図７は本発明の画面分割表示システムの第２実施形態を説明するための図であり、図８は図７の画面分割表示システムにおける画面分割表示方法を説明するためのフローチャートである。
【００５４】
なお、第２実施形態では、図１に示した第１実施形態での表示方法決定部１５による処理のみが異なるが、信号受信部１２、端末個体情報抽出部１３及び位置情報抽出部１４による処理は同じであるため、信号受信部１２、端末個体情報抽出部１３、位置情報抽出部１４及び表示方法決定部１５の図示は省略し、これらの説明は適宜行うものとする。
【００５５】
第２実施形態では、表示方法決定部１５により、入力端末（Ａ）２０及び入力端末（Ｂ）３０からの上述した端末個体情報と位置情報抽出信号に基づき、画面１１Ａ上における、入力端末（Ａ）２０の対応表示画面１１ａ及び入力端末（Ｂ）３０の対応表示画面１１ｂの表示位置が決定されることは勿論のこと、画面１１Ａに対する入力端末（Ａ）２０及び入力端末（Ｂ）３０の位置、すなわち各ユーザの位置に対応させて表示サイズが適切となるように決定される。
【００５６】
なお、表示方法決定部１５による表示位置の決定は、たとえば画面１１Ａに対する入力端末（Ａ）２０又は入力端末（Ｂ）３０の位置に応じた画面１１Ａの表示位置や表示サイズを示すデータを有するテーブルを用意しておき、そのテーブルのデータを参照することで行うことができる。
【００５７】
すなわち、上述した位置情報抽出部１４により抽出された位置情報により入力端末（Ｂ）３０が画面１１Ａの近くに在ること、すなわち画面１１Ａに対するユーザの視聴位置が近いと識別されると、画面１１Ａとそのユーザとの間の距離に応じて、同図に示すように、入力端末（Ｂ）３０の対応表示画面１１ｂが小さく表示されるようになっている。
【００５８】
これに対し、上述した位置情報抽出部１４により抽出された位置情報により入力端末（Ａ）２０が画面１１Ａから離れていること、すなわち画面１１Ａに対するユーザの視聴位置が遠いと識別されると、画面１１Ａとそのユーザとの間の距離に応じて、同図に示すように、入力端末（Ａ）２０の対応表示画面１１ａが大きく表示されるようになっている。
【００５９】
次に、図７の画面分割表示システムにおける画面分割表示方法について、図８を参照しながら説明する。
【００６０】
まず、図８でのステップＳ２０〜Ｓ２４までは、図３のステップＳ１０〜Ｓ１４までの内容と同じであるため、その説明を省略する。
【００６１】
そして、ステップＳ２４で表示方法決定部１５により画面１１Ａ上における表示位置が決定されると、さらに、表示方法決定部１５により画面１１Ａに対する入力端末（Ａ）２０及び入力端末（Ｂ）３０の位置、すなわち、各ユーザの位置に応じて上述したように、表示サイズが決定される（ステップＳ２５）。
【００６２】
次いで、対応位置であるユーザの視聴位置に応じた適切な表示サイズの画面が表示される（ステップＳ２６）。
【００６３】
このように、第２実施形態では、表示方法決定部１５により、端末個体情報抽出部１３によって抽出された端末個体情報と位置情報抽出部１４によって抽出された位置情報に基づき、画面１１Ａに対する個々の入力端末（Ａ）２０及び入力端末（Ｂ）３０の位置、すなわち個々のユーザの位置に対応するように、画面１１Ａ上におけるそれぞれの子画面である対応表示画面１１ａ、１１ｂの表示位置を決定し、さらに、個々のユーザの位置、すなわち視聴距離に応じて表示サイズを決定するようにした。これにより、第１実施形態での効果に加え、視聴距離に応じて適切な表示サイズでの視聴を行うことができる。
【００６４】
（第３実施形態）
図９は本発明の画面分割表示システムの第３実施形態を説明するための図であり、図１０は図９の画面分割表示システムにおける画面分割表示方法を説明するためのフローチャートである。
【００６５】
なお、第３実施形態では、第２実施形態と同様に、図１に示した第１実施形態での表示方法決定部１５による処理のみが異なるが、信号受信部１２、端末個体情報抽出部１３及び位置情報抽出部１４による処理は同じであるため、信号受信部１２、端末個体情報抽出部１３、位置情報抽出部１４及び表示方法決定部１５の図示は省略し、これらの説明は適宜行うものとする。
【００６６】
第３実施形態では、表示方法決定部１５により、入力端末（Ａ）２０及び入力端末（Ｂ）３０からの上述した端末個体情報と位置情報抽出信号に基づき、画面１１Ａ上における、入力端末（Ａ）２０の対応表示画面１１ａ及び入力端末（Ｂ）３０の対応表示画面１１ｂの表示位置が決定されることは勿論のこと、画面１１Ａに対する入力端末（Ａ）２０及び入力端末（Ｂ）３０の位置、すなわち各ユーザの位置に対応させて表示サイズが適切となるように決定され、さらに画面１１Ａに対する視聴角度に応じて入力端末（Ａ）２０の対応表示画面１１ａ及び入力端末（Ｂ）３０の対応表示画面１１ｂの表示形状が適切なものとされるようになっている。
【００６７】
なお、表示方法決定部１５による表示位置の決定は、たとえば画面１１Ａに対する入力端末（Ａ）２０又は入力端末（Ｂ）３０の位置や視聴角度に応じた画面１１Ａの表示位置、表示サイズ及び表示形状を示すデータを有するテーブルを用意しておき、そのテーブルのデータを参照することで行うことができる。
【００６８】
すなわち、同図に示すように、上述した位置情報抽出部１４により抽出された位置情報により入力端末（Ｂ）３０と画面１１Ａとの距離が近くその角度が急峻であること、すなわち画面１１Ａに対するユーザの視聴距離が短く視聴角度が急峻であることが識別されると、画面１１Ａとそのユーザとの距離に応じて入力端末（Ｂ）３０の対応表示画面１１ｂが小さく表示されるとともに、視聴角度に応じて入力端末（Ｂ）３０の対応表示画面１１ｂの表示形状がたとえば台形状となるように決定されるようになっている。このように、入力端末（Ｂ）３０の対応表示画面１１ｂの表示形状がたとえば台形状とされることで、ユーザの視聴角度が急峻であっても、その入力端末（Ｂ）３０の対応表示画面１１ｂを正面から見ているように表示させることができる。
【００６９】
なお、入力端末（Ｂ）３０と画面１１Ａとの距離及び角度に関する位置情報を抽出する場合、上述のたとえば図６に示したように、テレビジョン装置１０内部にジャイロ１８を搭載し、たとえば入力端末（Ａ）２０内部にもジャイロ２１を搭載して入力端末（Ａ）２０の位置情報が抽出されるようにすればよい。
【００７０】
次に、図９の画面分割表示システムにおける画面分割表示方法について、図１０を参照しながら説明する。
【００７１】
まず、図１０でのステップＳ３０〜Ｓ３４までは、図３のステップＳ１０〜Ｓ１４までの内容と同じであるため、その説明を省略する。
【００７２】
そして、ステップＳ３４で表示方法決定部１５により画面１１Ａ上における表示位置が決定されると、さらに、表示方法決定部１５により画面１１Ａに対する入力端末（Ａ）２０及び入力端末（Ｂ）３０の位置及び角度、すなわち、各ユーザの位置や視聴角度に応じて上述したように、表示サイズ及び視聴角度に合わせた表示形状が決定される（ステップＳ３５）。
【００７３】
次いで、対応位置であるユーザの視聴位置及び視聴角度に応じた適切な表示サイズであり適切な表示形状の画面が表示される（ステップＳ３６）。
【００７４】
このように、第３実施形態では、表示方法決定部１５により、端末個体情報抽出部１３によって抽出された端末個体情報と位置情報抽出部１４によって抽出された位置情報に基づき、画面１１Ａに対する個々の入力端末（Ａ）２０及び入力端末（Ｂ）３０の位置、すなわち個々のユーザの位置に対応するように、画面１１Ａ上におけるそれぞれの子画面である対応表示画面１１ａ、１１ｂの表示位置を決定し、また、個々のユーザの位置、すなわち視聴距離に応じて表示サイズを決定するようにし、さらに、個々のユーザの視聴角度に応じて表示形状を決定するようにした。これにより、第１実施形態及び第２実施形態での効果に加え、視聴角度に応じて子画面を正面から見ているように表示させることができる。
【００７５】
なお、以上の各第１実施形態〜第３実施形態では、入力端末（Ａ）２０及び入力端末（Ｂ）３０が２つとした場合で、それぞれに対応させた子画面が表示される場合について説明したが、入力端末（Ａ）２０及び入力端末（Ｂ）３０を３つ以上とし、それぞれに対応させた子画面が表示されるようにすることもできる。
【００７６】
また、以上の各第１実施形態〜第３実施形態では、テレビジョン装置１０のディスプレイ装置１１Ａの画面１１Ａの表示サイズについては明確にしていないが、そのディスプレイ装置１１Ａの画面１１Ａの表示サイズが大きくなればなるほど、複数のユーザによる個々の子画面での視聴に対する表示がより適切に行われることが実感できる。
【００７７】
（第４実施形態）
図１１は本発明の画面分割表示システムの第４実施形態を説明するための図であり、図１２は図１１の画面分割表示システムにおける画面分割表示方法を説明するためのフローチャートであり、図１３〜図１５は図１１の画面分割表示システムにおける画面分割表示方法を説明するための図である。
【００７８】
なお、第４実施形態では、図１１に示すように、複数台の表示装置であるテレビジョン装置１０Ａ、１０Ｂに対し、表示方法決定部１５により個々のユーザの位置に対応するように表示位置等が決定される点で、第１〜第３の実施形態とは相違している。また、第４実施形態では、入力情報ＤＢ（データベース）１５ａ、装置位置情報抽出部１５ｂ、位置情報ＤＢ（データベース）１５ｃを有している点でも第１〜第３の実施形態とは相違している。
【００７９】
なお、信号受信部１２ａ〜１２ｃは、上述した図２のように、それぞれのテレビジョン装置１０Ａ、１０Ｂの下部側等に配置されている。また、端末個体情報抽出部１３、位置情報抽出部１４、表示方法決定部１５、入力情報ＤＢ（データベース）１５ａ、装置位置情報抽出部１５ｂ、位置情報ＤＢ（データベース）１５ｃは、それぞれのテレビジョン装置１０Ａ、１０Ｂの内部に配置されている。
【００８０】
なお、表示方法決定部１５にあっては、それぞれのテレビジョン装置１０Ａ、１０Ｂの内部に配置されていることにより、互いのテレビジョン装置１０Ａ、１０Ｂに対しての表示方法の決定に際して重複が生じる。この場合、たとえば、いずれか一方の表示方法決定部１５が優先し、他方の表示方法決定部１５に対して表示方法の指示が出されることにより、互いのテレビジョン装置１０Ａ、１０Ｂに対しての表示方法の決定が行われるようにすることができる。また、この場合、表示方法決定部１５の優先順位は、入力端末（Ａ）２０、入力端末（Ｂ）３０、入力端末（Ｃ）４０のいずれかによって予め設定できるものとする。
【００８１】
ここで、入力情報ＤＢ（データベース）１５ａには、それぞれの入力端末（Ａ）２０、入力端末（Ｂ）３０、入力端末（Ｃ）４０毎の設定領域が設けられている。また、それぞれの設定領域には、それぞれの入力端末（Ａ）２０、入力端末（Ｂ）３０、入力端末（Ｃ）４０による映像や音声等に関わる各種設定内容が登録されるようになっている。なお、映像や音声に関わる設定内容には、後述する保存設定、表示不要、移動後の画面消去等に関するものも含まれている。
【００８２】
また、入力情報ＤＢ（データベース）１５ａには、それぞれのテレビジョン装置１０Ａ、１０Ｂで視聴している際に、それぞれの入力端末（Ａ）２０、入力端末（Ｂ）３０、入力端末（Ｃ）４０から送信された映像の制御に係わるリモコンコード信号の内容も、それぞれの入力端末（Ａ）２０、入力端末（Ｂ）３０、入力端末（Ｃ）４０毎の設定領域に登録される。なお、この映像の制御に係わるリモコンコード信号の内容には、上述したように、画質調整、音量調整、チャンネル切替等が含まれる。また、このリモコンコード信号の内容は、最新のものに置き換えられるように更新される。
【００８３】
装置位置情報抽出部１５ｂは、互いのテレビジョン装置１０Ａ、１０Ｂの位置情報を抽出する。すなわち、テレビジョン装置１０Ａはテレビジョン装置１０Ｂがどの位置にあるかを抽出し、テレビジョン装置１０Ｂはテレビジョン装置１０Ａがどの位置にあるかを抽出する。このような抽出においては、第１〜第３の実施形態で説明したたとえば位置情報抽出部１４による位置情報の抽出方法を用いることができる。この場合、テレビジョン装置１０Ａ、１０Ｂは、互いの位置を示す装置位置情報が抽出されるための装置位置情報抽出信号を出力するようにする。
【００８４】
位置情報ＤＢ（データベース）１５ｃには、装置位置情報抽出部１５ｂによって抽出された互いのテレビジョン装置１０Ａ、１０Ｂの位置情報が登録されるようになっている。なお、端末個体情報抽出部１３及び位置情報抽出部１４は、上述した第１〜第３の実施形態で説明したように、端末個体情報の抽出や位置情報の抽出を行う。
【００８５】
次に、図１１の画面分割表示システムにおける画面分割表示方法について、図１２を参照しながら説明する。なお、上述したように、表示方法決定部１５にあっては、それぞれのテレビジョン装置１０Ａ、１０Ｂの内部に配置されていることにより、互いのテレビジョン装置１０Ａ、１０Ｂに対しての表示方法の決定に際して重複が生じるが、いずれか一方の表示方法決定部１５が優先するように、入力端末（Ａ）２０、入力端末（Ｂ）３０、入力端末（Ｃ）４０のいずれかによって予め設定されているものとする。
【００８６】
まず、図１２でのステップＳ４０は、図３のステップＳ１０の内容と同じであるため、その説明を省略する。そして、ステップＳ４１では、図３のステップＳ１１と同様に、端末個体情報抽出部１３により信号受信部１２ａ〜１２ｃによって受信されたそれぞれの入力端末（Ａ）２０、入力端末（Ｂ）３０、入力端末（Ｃ）４０からの信号から端末個体情報が抽出される。また、位置情報抽出部１４により上述した位置情報の抽出の演算処理によって抽出されたそれぞれの入力端末（Ａ）２０、入力端末（Ｂ）３０、入力端末（Ｃ）４０の位置、すなわちそれぞれのユーザの位置を示す位置情報が取得される。また、位置情報ＤＢ（データベース）１５ｃから、互いのテレビジョン装置１０Ａ、１０Ｂの位置情報が取得される。
【００８７】
次いで、表示方法決定部１５により、それぞれの入力端末（Ａ）２０、入力端末（Ｂ）３０、入力端末（Ｃ）４０と、それぞれのテレビジョン装置１０Ａ、１０Ｂのディスプレイ装置１１との位置から、表示するそれぞれのディスプレイ装置１１との対応関係が決定される（ステップＳ４２）。
【００８８】
すなわち、図１１のように、テレビジョン装置１０Ａのディスプレイ装置１１に対して入力端末（Ｂ）３０が近く、テレビジョン装置１０Ｂのディスプレイ装置１１に対してそれぞれの入力端末（Ａ）２０、入力端末（Ｃ）４０が近い場合、テレビジョン装置１０Ａのディスプレイ装置１１に対して入力端末（Ｂ）３０の対応表示画面１１ｂが表示されるように決定され、テレビジョン装置１０Ｂに対して入力端末（Ａ）２０の対応表示画面１１ａと入力端末（Ｃ）４０の対応表示画面１１ｃとが表示されるように決定される。
【００８９】
次いで、表示方法決定部１５により、端末個体情報抽出部１３により抽出された端末個体情報に基づき、たとえば図３のステップＳ１２と同様に、それぞれの入力端末（Ａ）２０、入力端末（Ｂ）３０、入力端末（Ｃ）４０の対応表示画面１１ａ、１１ｂ、１１ｃの表示処理、すなわち割り当てが済んでいるか否かが判断される（ステップＳ４３）。
【００９０】
ここで、それぞれの入力端末（Ａ）２０、入力端末（Ｂ）３０、入力端末（Ｃ）４０の対応表示画面１１ａ、１１ｂ、１１ｃの表示処理、すなわち割り当てが済んでいると判断されると（ステップＳ４３：ＹＥＳ）、該当画面についての処理が実施される（ステップＳ４４）。ここでの該当画面についての処理とは、上記同様に、それぞれの入力端末（Ａ）２０、入力端末（Ｂ）３０、入力端末（Ｃ）４０からの映像の制御に係わるリモコンコード信号の内容に応じて該当画面である、それぞれの入力端末（Ａ）２０、入力端末（Ｂ）３０、入力端末（Ｃ）４０の対応表示画面１１ａ、１１ｂ、１１ｃの内容を制御することである。
【００９１】
また、映像の制御に係わるリモコンコード信号の内容とは、上記同様に、画質調整、音量調整、チャンネル切替等が含まれる。なお、これらの内容は、上述した入力情報ＤＢ（データベース）１５ａにも登録されているため、それぞれの入力端末（Ａ）２０、入力端末（Ｂ）３０、入力端末（Ｃ）４０からのリモコンコード信号の受信が無ければ、入力情報ＤＢ（データベース）１５ａに登録された情報を参照してそれぞれの対応表示画面１１ａ、１１ｂ、１１ｃの内容が制御されることになる。
【００９２】
これに対し、それぞれの入力端末（Ａ）２０、入力端末（Ｂ）３０、入力端末（Ｃ）４０の対応表示画面１１ａ、１１ｂ、１１ｃの表示処理、すなわち割り当てが済んでいないと判断されると（ステップＳ４３：ＮＯ）、たとえば図３のステップＳ１４と同様に、位置情報抽出部１４により抽出された位置情報に基づき、テレビジョン装置１０Ａ、１０Ｂの画面１１Ａ上におけるそれぞれの入力端末（Ａ）２０、入力端末（Ｂ）３０、入力端末（Ｃ）４０の対応表示画面１１ａ、１１ｂ、１１ｃの表示位置が決定される（ステップＳ４５）。
【００９３】
そして、それぞれのテレビジョン装置１０Ａ、１０Ｂの画面１１Ａにおいて、それぞれのユーザの位置に対応するように、対応表示画面１１ａ、１１ｂ、１１ｃの表示サイズが決定され（ステップＳ４６）、それぞれの画面１１Ａに対する入力端末（Ａ）２０、入力端末（Ｂ）３０、入力端末（Ｃ）４０の位置、すなわち、各ユーザの位置に応じて対応表示画面１１ａ、１１ｂ、１１ｃが表示される（ステップＳ４７）。
【００９４】
この場合、上述したように、テレビジョン装置１０Ａのディスプレイ装置１１に対して入力端末（Ｂ）３０の対応表示画面１１ｂが表示されるように決定されているため、その対応表示画面１１ｂはテレビジョン装置１０Ａのディスプレイ装置１１の画面１１Ａが分割されることなく表示される。これに対し、上述したように、テレビジョン装置１０Ｂ側では、入力端末（Ａ）２０の対応表示画面１１ａと入力端末（Ｃ）４０の対応表示画面１１ｃとが表示されるように決定されているため、入力端末（Ａ）２０の対応表示画面１１ａと入力端末（Ｃ）４０の対応表示画面１１ｃとが分割表示される。
【００９５】
なお、テレビジョン装置１０Ｂ側においての分割表示に際しては、図１に示したように、画面１１Ａに対する個々のユーザの位置に対応するように、子画面である入力端末（Ａ）２０及び入力端末（Ｃ）４０の対応表示画面１１ａ、１１ｃが表示されることになる。
【００９６】
この場合、入力端末（Ａ）２０がテレビジョン装置１０Ｂのディスプレイ装置１１の右側に近いため、そのディスプレイ装置１１の右半分側に入力端末（Ａ）２０の対応表示画面１１ａが表示されることになる。一方、入力端末（Ｃ）４０がそのディスプレイ装置１１の左側に近いため、ディスプレイ装置１１の左半分側に入力端末（Ｃ）４０の対応表示画面１１ｃが表示されることになる。
【００９７】
また、この場合、たとえば図１０のステップＳ３５で説明したように、画面１１Ａに対する入力端末（Ａ）２０及び入力端末（Ｃ）４０の位置及び角度、すなわち、各ユーザの位置や視聴角度に応じて表示サイズ及び表示形状が決定されるようにすることができる。
【００９８】
次いで、表示方法決定部１５により、端末個体情報抽出部１３により抽出されたそれぞれの端末個体情報に基づいて、それぞれの画面１１Ａ上における、入力端末（Ａ）２０、入力端末（Ｂ）３０、入力端末（Ｃ）４０の対応表示画面１１ａ、１１ｂ、１１ｃの表示処理、すなわち割り当てが済んでいるか否かが判断される（ステップＳ４８）。
【００９９】
ここで、それぞれの入力端末（Ａ）２０、入力端末（Ｂ）３０、入力端末（Ｃ）４０の対応表示画面１１ａ、１１ｂ、１１ｃの表示処理、すなわち割り当てが済んでいると判断されると（ステップＳ４８：ＹＥＳ）、その処理が表示不要かどうかが判断される（ステップＳ４９）。ここで、表示不要かどうかは、上述した入力情報ＤＢ（データベース）１５ａに、それぞれの入力端末（Ａ）２０、入力端末（Ｂ）３０、入力端末（Ｃ）４０に対応した表示不要の設定内容があるかどうかを確認することで判断される。そして、その処理が表示不要である場合（ステップＳ４９：ＹＥＳ）、該当する画面の表示が消去される（ステップＳ５０）。
【０１００】
これに対し、それぞれの入力端末（Ａ）２０、入力端末（Ｂ）３０、入力端末（Ｃ）４０の対応表示画面１１ａ、１１ｂ、１１ｃの表示処理、すなわち割り当てが済んでいないと判断された場合と（ステップＳ４８：ＮＯ）、その処理が表示不要でないと判断された場合（ステップＳ４９：ＮＯ）、処理終了となる。
【０１０１】
以上のような表示方法決定部１５による表示方法により、それぞれの入力端末（Ａ）２０、入力端末（Ｂ）３０、入力端末（Ｃ）４０に対してそれぞれのテレビジョン装置１０Ａ、１０Ｂが決定されるとともに、その決定されたテレビジョン装置１０Ａ、１０Ｂに対してそれぞれの入力端末（Ａ）２０、入力端末（Ｂ）３０、入力端末（Ｃ）４０の対応表示画面１１ａ、１１ｂ、１１ｃが割り当てられて表示される。
【０１０２】
なお、表示方法決定部１５による表示方法においては、次のような表示を行うことも可能である。すなわち、たとえば図１３に示すように、たとえば入力端末（Ａ）２０を使用しているユーザがテレビジョン装置１０Ａにて視聴している状態から、入力端末（Ａ）２０とともに、テレビジョン装置１０Ｂ側に移動したとする。この場合、その入力端末（Ａ）２０の位置がテレビジョン装置１０Ａよりもテレビジョン装置１０Ｂに近いと判断され、入力端末（Ａ）２０に対してテレビジョン装置１０Ｂが決定され、テレビジョン装置１０Ａ側での入力端末（Ａ）２０の対応表示画面１１ａと同じ内容がテレビジョン装置１０Ｂ側に表示される。
【０１０３】
この場合、上述した入力情報ＤＢ（データベース）１５ａから、テレビジョン装置１０Ａ側での映像の制御に係わるリモコンコード信号の内容が取得されることで、テレビジョン装置１０Ａ側での入力端末（Ａ）２０の対応表示画面１１ａと同じ内容がテレビジョン装置１０Ｂ側に表示されることになる。また、入力情報ＤＢ（データベース）１５ａに移動後の画面消去が設定されている場合、テレビジョン装置１０Ａ側での入力端末（Ａ）２０の対応表示画面１１ａが消去される。
【０１０４】
なお、このような表示方法決定部１５による表示方法では、テレビジョン装置１０Ａを置いてある部屋等に小型のテレビジョン装置を持ち込み、その小型のテレビジョン装置の傍で視聴するときも同様に、テレビジョン装置１０Ａ側での入力端末（Ａ）２０の対応表示画面１１ａと同じ内容が小型のテレビジョン装置側に表示され、テレビジョン装置１０Ａ側での入力端末（Ａ）２０の対応表示画面１１ａが消去されるようにすることができる。
【０１０５】
また、たとえば図１４に示すように、たとえば入力端末（Ａ）２０を使用しているユーザがテレビジョン装置１０Ａにて視聴している状態から、入力端末（Ａ）２０とともに、テレビジョン装置１０Ｂ側に移動したとしても、上述した入力情報ＤＢ（データベース）１５ａに保存設定が登録されている場合は、テレビジョン装１０Ｂ側にはなにも表示されず、テレビジョン装置１０Ａ側に入力端末（Ａ）２０の対応表示画面１１ａが消去されずに表示されるようにすることができる。
【０１０６】
この場合、テレビジョン装置１０Ａ側に入力端末（Ａ）２０の対応表示画面１１ａの内容をたとえば静止画とすることで、たとえば放送番組で紹介された様々な情報の確認を容易に行える。
【０１０７】
また、図１１に示したように、それぞれの入力端末（Ａ）２０、入力端末（Ｂ）３０、入力端末（Ｃ）４０を使用するそれぞれのユーザがテレビジョン装置１０Ａ、１０Ｂで視聴しているとき、入力端末（Ｂ）３０を使用するユーザがテレビジョン装置１０Ａから離れた場合、テレビジョン装置１０Ａが未使用の状態となる。
【０１０８】
この場合、入力端末（Ｃ）４０がテレビジョン装置１０Ａに近いと判断され、図１５に示すように、テレビジョン装置１０Ｂ側での対応表示画面１１ｃと同じ内容の対応表示画面１１ｃがテレビジョン装置１０Ａに表示されるようにすることができる。この場合、上述したように、画面１１Ａに対する入力端末（Ｃ）４０の位置及び角度、すなわち、そのユーザの位置や視聴角度に応じて表示サイズ及び表示形状（視聴角度改善加工入り）が決定されるようにすることができる。
【０１０９】
このように、第４実施形態では、表示方法決定部１５により、端末個体情報抽出部１３によって抽出された端末個体情報及び位置情報抽出部１４によって抽出された位置情報と、装置位置情報抽出部１５ｂによって抽出された装置位置情報とに基づき、それぞれの入力端末（Ａ）２０、入力端末（Ｂ）３０、入力端末（Ｃ）４０とテレビジョン装置１０Ａ、１０Ｂとの対応関係を決定し、該決定したテレビジョン装置１０Ａ、１０Ｂに対しそれぞれの入力端末（Ａ）２０、入力端末（Ｂ）３０、入力端末（Ｃ）４０の位置に対応するように、当該画面１１Ａ上におけるそれぞれの子画面の表示の有無及び表示位置を決定するようにした。
【０１１０】
これにより、複数のテレビジョン装置１０Ａ、１０Ｂに対しても、第１実施形態と同様に、画面１１Ａに対する個々のユーザの位置に応じて、その画面１１Ａに個々のユーザに対応する複数の子画面を表示させることができる。また、複数のテレビジョン装置１０Ａ、１０Ｂであっても、第２実施形態と同様に、視聴距離に応じて適切な表示サイズでの視聴を行うことができる。また、複数のテレビジョン装置１０Ａ、１０Ｂであっても、第３実施形態と同様に、視聴角度に応じて子画面を正面から見ているように表示させることができる。
【０１１１】
なお、第４実施形態では、たとえば端末個体情報抽出部１３、位置情報抽出部１４、表示方法決定部１５、入力情報ＤＢ（データベース）１５ａ、装置位置情報抽出部１５ｂ、位置情報ＤＢ（データベース）１５ｃを、それぞれのテレビジョン装置１０Ａ、１０Ｂの内部に配置した場合として説明したが、この例に限らず、これらをコントロールユニットとして別体とし、それぞれのテレビジョン装置１０Ａ、１０Ｂの外部に配置することも可能である。この場合、コントロールユニットとテレビジョン装置１０Ａ、１０Ｂとの間で、たとえば無線通信が行われるようにすれば、それぞれのテレビジョン装置１０Ａ、１０Ｂに対し、個々のユーザの位置に対応させた表示位置等の決定を行わせるようにすることができる。
【産業上の利用可能性】
【０１１２】
テレビジョン装置に限らず、画面上に書き込みを行ったり、映像と書き込んだ内容（情報）とが同時に表示されたりすることが可能な電子黒板に適用することも可能である。また、ディスプレーなどを使った電子屋外広告であるデジタルサイネージに適用することも可能である。また、コンピューター等の他の機器に適用することも可能である。
【符号の説明】
【０１１３】
１０、１０Ａ、１０Ｂ  テレビジョン装置
１１  ディスプレイ装置
１１Ａ  画面
１１ａ  対応表示画面
１１ｂ  対応表示画面
１２、１２ａ〜１２ｃ  信号受信部
１３  端末個体情報抽出部
１４  位置情報抽出部
１５  表示方法決定部
１５ａ  入力情報ＤＢ（データベース）
１５ｂ  装置位置情報抽出部
１５ｃ  位置情報ＤＢ（データベース）
１６  カメラ
１７  発光体
１８  ジャイロ
２１  ジャイロ
【図１】
2013179553.tif 000003
【図２】
2013179553.tif 000004
【図３】
2013179553.tif 000005
【図４】
2013179553.tif 000006
【図５】
2013179553.tif 000007
【図６】
2013179553.tif 000008
【図７】
2013179553.tif 000009
【図８】
2013179553.tif 000010
【図９】
2013179553.tif 000011
【図１０】
2013179553.tif 000012
【図１１】
2013179553.tif 000013
【図１２】
2013179553.tif 000014
【図１３】
2013179553.tif 000015
【図１４】
2013179553.tif 000016
【図１５】
2013179553.tif 000017